(57)【要約】【課題】軸方向を上下に向けて装着される玉軸受であっても、軸受の回転開始時に玉軸受用保持器が振動しないようにすることである。【解決手段】保持器５のポケット６の形状を、対向する２つの辺６ａが保持器５の円周方向と平行で、他の対向する２つの辺６ｂがこれらと直角な四角形とし、円周方向と平行な各辺６ａの内側面に、内径側でポケット６内へ均等に張り出し、ポケット６に保持したボール４を平面テーパ面で受ける平面受け部７を設けることにより、軸受の回転開始時にボール４が転動方向から左右に大きくずれて停止していても、ボール４を円周方向と平行な平面受け部７で受けて、転動を開始するボール４を円周方向と直角な辺６ｂの内側面に当接させ、保持器５に円周方向からずれた分力が作用しないようにして、軸受の回転開始時に保持器５が振動しないようにした。【選択図】図３
2007170479.tif 000002
【特許請求の範囲】
【請求項１】
玉軸受の内外輪の軌道溝間に配列された複数のボールを、円筒状の保持器の円周方向に間隔を開けて設けたポケットに保持する玉軸受用保持器において、前記ポケットの形状を対向する２つの辺が前記保持器の円周方向と平行で、他の対向する２つの辺がこれらと直角な四角形とし、前記円周方向と平行な各辺のポケット内側面に、内径側でポケット内へ均等に張り出し、前記ポケットに保持したボールを平面テーパ面で受ける平面受け部を設けたことを特徴とする玉軸受用保持器。
【請求項２】
前記四角形のポケットの各コーナ部に、前記ボールが接触しない範囲で隅肉部を設けた請求項１に記載の玉軸受用保持器。
【請求項３】
前記玉軸受がその軸方向を上下に向けて軸受部に装着されるものである請求項１または２に記載の玉軸受用保持器。
【発明の詳細な説明】
【技術分野】
【０００１】
本発明は、深溝玉軸受やアンギュラ玉軸受等の玉軸受用保持器に関する。
【背景技術】
【０００２】
深溝玉軸受やアンギュラ玉軸受等の玉軸受用保持器には、内外輪の軌道溝間に配列された複数のボールを、円筒状の保持器の円周方向に間隔を開けて設けた円形のポケットに保持したものがある。通常、このような玉軸受用保持器の円形のポケット内側面には、内径側でポケット内へ均等に張り出し、ポケットに保持したボールを円錐面で受ける円錐受け部が設けられる（例えば、特許文献１参照）。
【０００３】
上述したポケットを円形とした玉軸受用保持器では、軸受の回転中にボールが転動方向で左右にずれると、ボールが転動方向の円錐受け部と中心がずれた位置で当接し、保持器に円周方向からずれた斜めの分力が作用する。このため、保持器が傾くように振動して、騒音が発生する問題がある。この問題に対しては、保持器の回転方向部位で、円形のポケットの内側面にボールを受ける平面受け部を設け、軸受の回転中にボールが転動方向で左右にずれても、保持器に円周方向からずれた分力が作用しないようにしたものがある（例えば、特許文献２参照）。
【０００４】
【特許文献１】特開平７−４４３９号公報
【特許文献２】実開平５−６１５１７号公報
【発明の開示】
【発明が解決しようとする課題】
【０００５】
特許文献２に記載された保持器の回転方向部位で、円形のポケットの内側面にボールを受ける平面受け部を設けた玉軸受用保持器は、軸受の回転中におけるボールの転動方向での左右へのずれによる保持器の振動は防止できるが、軸受の回転開始時には、ボールが転動方向から大きく左右にずれて停止していることがあるので、転動を開始するボールが平面受け部の左右に設けられた円錐受け部に当接して、保持器に円周方向からずれた分力が作用し、保持器が振動する問題がある。
【０００６】
特に、軸方向を上下に向けて回転軸等に装着される玉軸受では、ボールが転動方向から下側へ大きくずれて停止しているので、軸受の回転開始時に保持器が振動しやすい。
【０００７】
そこで、本発明の課題は、軸方向を上下に向けて装着される玉軸受であっても、軸受の回転開始時に玉軸受用保持器が振動しないようにすることである。
【課題を解決するための手段】
【０００８】
上記の課題を解決するために、本発明は、玉軸受の内外輪の軌道溝間に配列された複数のボールを、円筒状の保持器の円周方向に間隔を開けて設けたポケットに保持する玉軸受用保持器において、前記ポケットの形状を対向する２つの辺が前記保持器の円周方向と平行で、他の対向する２つの辺がこれらと直角な四角形とし、前記円周方向と平行な各辺のポケット内側面に、内径側でポケット内へ均等に張り出し、前記ポケットに保持したボールを平面テーパ面で受ける平面受け部を設けた構成を採用した。
【０００９】
すなわち、ポケットの形状を対向する２辺が保持器の円周方向と平行で、他の対向する２つの辺がこれらと直角な四角形とし、円周方向と平行な各辺のポケット内側面に、内径側でポケット内へ均等に張り出し、ポケットに保持したボールを平面テーパ面で受ける平面受け部を設けることにより、軸受の回転開始時にボールが転動方向から左右に大きくずれて停止していても、ボールを円周方向と平行な平面受け部で受けて、転動を開始するボールを円周方向と直角な辺のポケット内側面に当接させ、保持器に円周方向からずれた分力が作用しないようにして、軸受の回転開始時に保持器が振動しないようにした。
【００１０】
前記四角形のポケットの各コーナ部に、前記ボールが接触しない範囲で隅肉部を設けることにより、保持器の強度を確保することができる。
【００１１】
上述した各玉軸受用保持器は、前記玉軸受がその軸方向を上下に向けて軸受部に装着されるものに好適である。
【発明の効果】
【００１２】
本発明の玉軸受用保持器は、ポケットの形状を対向する２辺が保持器の円周方向と平行で、他の対向する２つの辺がこれらと直角な四角形とし、円周方向と平行な各辺のポケット内側面に、内径側でポケット内へ均等に張り出し、ポケットに保持したボールを平面テーパ面で受ける平面受け部を設けるようにしたので、軸受の回転開始時にボールが転動方向から左右に大きくずれて停止していても、ボールを円周方向と平行な平面受け部で受けて、転動を開始するボールを円周方向と直角な辺のポケット内側面に当接させ、保持器に円周方向からずれた分力が作用しないようにして、軸受の回転開始時に保持器が振動しないようにすることができる。
【００１３】
前記四角形のポケットの各コーナ部に、ボールが接触しない範囲で隅肉部を設けることにより、保持器の強度を確保することができる。
【発明を実施するための最良の形態】
【００１４】
以下、図面に基づき、本発明の実施形態を説明する。図１は、本発明に係る玉軸受用保持器を用いた玉軸受を示す。この玉軸受は、内輪２と外輪３の軌道溝２ａ、３ａ間に、複数のボール４が保持器５で保持された深溝玉軸受であり、垂直な回転軸１に軸方向を上下に向けて装着されるものである。
【００１５】
図２に示すように、前記保持器５は円筒状に形成され、その円周方向に間隔を開けて四角形のポケット６が設けられ、これらのポケット６にボール４が保持される。
【００１６】
図３（ａ）、（ｂ）に示すように、前記四角形のポケット６は、円周方向と平行に対向する２つの辺６ａと、これらと直角な２つの対向する辺６ｂとで形成され、円周方向と平行な各辺６ａの内側面に、内径側でポケット６内へ均等に張り出し、ボール４を平面テーパ面で受ける平面受け部７が設けられている。また、ポケット６の各コーナ部には、ボール４が接触しない範囲で三角形状に張り出す隅肉部８が設けられている。
【００１７】
前記垂直な回転軸１に装着された玉軸受は、軸受の回転開始時にボール４が転動方向中心からポケット６の下側にずれて、下側の平面受け部７と接触して停止しているが、軸受の回転に伴って転動を開始するボール４は、この下側の平面受け部７に沿って保持器５と相対移動し、これと直角なポケット６の辺６ｂに当接する。したがって、軸受の回転開始時に保持器５に円周方向からずれた分力が作用することはなく、保持器５が振動することもない。
【００１８】
上述した実施形態では、四角形のポケットの各コーナ部の隅肉部を三角形状としたが、この隅肉部はＲ形状としてもよい。隅肉部は省略することもできる。また、本発明に係る玉軸受用保持器は、深溝玉軸受に限定されることはなく、アンギュラ玉軸受にも用いることができる。
【図面の簡単な説明】
【００１９】
【図１】本発明に係る玉軸受用保持器を用いた玉軸受を示す縦断面図
【図２】図１の保持器を示す切欠き斜視図
【図３】ａは図２の保持器の一部省略側面断面図、ｂはａの展開平面図
【符号の説明】
【００２０】
１  回転軸
２  内輪
３  外輪
２ａ、３ａ  軌道溝
４  ボール
５  保持器
６  ポケット
６ａ、６ｂ  辺
７  平面受け部
８  隅肉部
【図１】
2007170479.tif 000003
【図２】
2007170479.tif 000004
【図３】
2007170479.tif 000005